(57)【要約】【課題】遠隔操作の対象となる外部装置の設置場所に拘わらず、外部メモリーを容易に接続可能なリモートコントローラーおよび遠隔制御システムを提供する。【解決手段】プロジェクター１０を遠隔操作するためのリモートコントローラー４０であって、ＵＳＢメモリーＭを接続するためのＵＳＢポート４１と、ＵＳＢメモリーＭから読み出した読み出しデータを、無線通信によりプロジェクター１０に送信する無線通信部４６と、を備えたものである。【選択図】図２
2010226483.tif 000002
【特許請求の範囲】
【請求項１】
外部メモリーを接続するためのメモリー接続手段と、
前記外部メモリーから読み出した読み出しデータを、無線通信により外部装置に送信する無線送信手段と、を備えたことを特徴とするリモートコントローラー。
【請求項２】
複数の操作ボタンを有する操作手段をさらに備え、
前記無線送信手段は、前記操作手段の操作に基づいて生成された操作信号を、無線通信により前記外部装置に送信することを特徴とする請求項１に記載のリモートコントローラー。
【請求項３】
前記無線送信手段は、複数の無線送信手段で構成されており、
前記複数の無線送信手段を切り替えるための無線送信手段切替手段をさらに備えたことを特徴とする請求項２に記載のリモートコントローラー。
【請求項４】
前記無線送信手段切替手段は、前記操作手段に含まれる所定キーの操作に基づいて、前記複数の無線送信手段を切り替えることを特徴とする請求項３に記載のリモートコントローラー。
【請求項５】
前記外部装置から、データ送信要求を受信する送信要求受信手段をさらに備え、
前記無線送信手段切替手段は、データ送信要求を受信したとき、所定の前記無線送信手段に切り替え、前記無線送信手段による前記読み出しデータの送信後、他の前記無線送信手段に切り替えることを特徴とする請求項３に記載のリモートコントローラー。
【請求項６】
前記メモリー接続手段への前記外部メモリーの接続の有無を判別するメモリー接続判別手段をさらに備え、
前記無線送信手段切替手段は、前記メモリー接続判別手段の判別結果に基づいて、前記無線送信手段を切り替えることを特徴とする請求項３に記載のリモートコントローラー。
【請求項７】
前記外部メモリーには、前記外部装置の設定情報が記憶されており、
前記無線送信手段は、前記外部メモリーの接続時、または前記外部装置から前記設定情報の送信要求を受信したとき、前記設定情報を前記外部装置に送信することを特徴とする請求項１ないし６のいずれか１項に記載のリモートコントローラー。
【請求項８】
請求項１ないし７のいずれか１項に記載のリモートコントローラーと、
前記外部装置と、を備えたことを特徴とする遠隔制御システム。
【発明の詳細な説明】
【技術分野】
【０００１】
遠隔操作を行うためのリモートコントローラーおよび遠隔制御システムに関するものである。
【背景技術】
【０００２】
従来、ＵＳＢメモリーを接続可能なメモリー接続口を備えたプロジェクターが知られている。この種のプロジェクターは、ＵＳＢメモリーが接続されると、メモリー内の画像を一覧表示し、それらの中から、ユーザーが操作パネルまたはリモートコントローラーを用いて選択した画像を投写できるようになっている（ＰＣフリー機能）。当該機能により、コンピューターなどの外部装置を必要とすることなく、プロジェクター単体で画像投写を行うことができるため、プレゼンテーションに必要な機材の持ち運びおよびプレゼンテーション準備を容易に行うことができる（例えば、非特許文献１参照）。
【先行技術文献】
【非特許文献】
【０００３】
【非特許文献１】セイコーエプソン株式会社  オフィリオプロジェクター  ＥＭＰ−１８２５  ＥａｓｙＭＰ  活用ガイド  Ｐ．４３〜５８「ＰＣ  Ｆｒｅｅを使ったプレゼンテーション」
【発明の概要】
【発明が解決しようとする課題】
【０００４】
ところで、プロジェクターの利用形態として、可搬式のものと常設式のものがある。前者の場合、上記のＰＣフリー機能を用いることで、機材の持ち運びが容易になるなど利点が大きいが、後者の場合は、ＵＳＢメモリーの接続が困難であるといった問題がある。具体的には、常設式のため、プロジェクターの設置場所まで出向かなくてはならなかったり、天吊りタイプの場合は、ＵＳＢメモリーの接続自体が不可能である、といった問題である。このため、便利な機能ではあるものの、利用形態によっては、使用できないという問題があった。
【０００５】
本発明は、上記の問題点に鑑み、遠隔操作の対象となる外部装置の設置場所に拘わらず、外部メモリーを容易に接続可能なリモートコントローラーおよび遠隔制御システムを提供することを目的とする。
【課題を解決するための手段】
【０００６】
本発明のリモートコントローラーは、外部メモリーを接続するためのメモリー接続手段と、外部メモリーから読み出した読み出しデータを、無線通信により外部装置に送信する無線送信手段と、を備えたことを特徴とする。
【０００７】
この構成によれば、リモートコントローラーに対して外部メモリー（外部記憶装置）を接続可能であるため、遠隔操作の対象となる外部装置の設置場所に拘わらず、外部メモリーを容易に接続することができる。また、外部メモリーから読み出した読み出しデータを、外部装置に送信することができる。
【０００８】
上記に記載のリモートコントローラーにおいて、複数の操作ボタンを有する操作手段をさらに備え、無線送信手段は、操作手段の操作に基づいて生成された操作信号を、無線通信により外部装置に送信することが好ましい。
【０００９】
この構成によれば、操作手段を備えているため、外部装置の各種操作を行うことができる。また、操作手段の操作に基づく操作信号を送信することができるため、通常の外部操作機器としてリモートコントローラーを使用することができる。
【００１０】
上記に記載のリモートコントローラーにおいて、無線送信手段は、複数の無線送信手段で構成されており、複数の無線送信手段を切り替えるための無線送信手段切替手段をさらに備えたことが好ましい。
【００１１】
この構成によれば、複数の無線送信手段の中から、必要に応じて、利用対象となる無線送信手段を切り替えることができる。
なお、複数の無線送信手段としては、光、電波または音波を用いた通信などを利用可能である。
【００１２】
上記に記載のリモートコントローラーにおいて、無線送信手段切替手段は、操作手段に含まれる所定キーの操作に基づいて、複数の無線送信手段を切り替えることが好ましい。
【００１３】
この構成によれば、所定キーの操作により、容易に無線送信手段を切り替えることができる。
【００１４】
上記に記載のリモートコントローラーにおいて、外部装置から、データ送信要求を受信する送信要求受信手段をさらに備え、無線送信手段切替手段は、データ送信要求を受信したとき、所定の無線送信手段に切り替え、無線送信手段による読み出しデータの送信後、他の無線送信手段に切り替えることが好ましい。
【００１５】
この構成によれば、外部装置から、データ送信要求を受信したときに所定の無線送信手段に切り替え、読み出しデータの送信後、他の無線送信手段に切り替える。つまり、リモートコントローラー側で必要に応じて自動的に無線送信手段の切り替えが行われるため、ユーザーは無線送信手段を切り替えるための手間を必要とせず、便利である。
【００１６】
上記に記載のリモートコントローラーにおいて、メモリー接続手段への外部メモリーの接続の有無を判別するメモリー接続判別手段をさらに備え、無線送信手段切替手段は、メモリー接続判別手段の判別結果に基づいて、無線送信手段を切り替えることが好ましい。
【００１７】
この構成によれば、例えば、外部メモリーが接続されているときに所定の無線送信手段に切り替え、外部メモリーが接続されていないときに他の無線送信手段に切り替える、などの動作が可能となる。つまり、リモートコントローラー側で必要に応じて自動的に無線送信手段の切り替えが行われるため、ユーザーは無線送信手段を切り替えるための手間を必要とせず、便利である。
【００１８】
上記に記載のリモートコントローラーにおいて、外部メモリーには、外部装置の設定情報が記憶されており、無線送信手段は、外部メモリーの接続時、または外部装置から設定情報の送信要求を受信したとき、設定情報を外部装置に送信することが好ましい。
【００１９】
この構成によれば、外部装置の情報設定を容易に行うことができる。なお、外部装置は、電源オン時またはユーザーによる所定の操作により、リモートコントローラーに対し、設定情報の送信要求を送信することが好ましい。
また、「設定情報」とは、外部装置の環境設定に関する情報など、外部装置に設定・登録可能な情報を指す。例えば、外部装置がプロジェクターの場合、画像補正に関する情報（例えば、キーストーン歪補正値）、画質調整に関する情報（例えば、カラーモード）、セキュリティに関する情報（例えば、パスワード）、ネットワーク設定に関する情報（例えば、識別情報、機器名）などを指す。
【００２０】
本発明の遠隔制御システムは、上記に記載のリモートコントローラーと、外部装置と、を備えたことを特徴とする。
【００２１】
この構成によれば、リモートコントローラーの操作対象となる外部装置の設置場所に拘わらず、外部メモリーを容易に接続して使用可能な遠隔制御システムを提供することができる。
【図面の簡単な説明】
【００２２】
【図１】本発明の一実施形態に係る遠隔制御システムの構成を示すブロック図である。
【図２】リモコンの構成を示すブロック図である。
【図３】第１実施形態に係るリモコンの設定情報送信処理を示すフローチャートである。
【図４】第１実施形態に係るリモコンの読み出しデータ送信処理を示すフローチャートである。
【図５】第１実施形態に係るリモコンの操作信号送信処理を示すフローチャートである。
【図６】設定情報送信処理の変形例を示すフローチャートである。
【図７】第２実施形態に係るリモコンの読み出しデータ送信処理を示すフローチャートである。
【図８】第３実施形態に係るリモコンの読み出しデータ送信処理を示すフローチャートである。
【図９】第３実施形態に係るリモコンの操作信号送信処理を示すフローチャートである。
【発明を実施するための形態】
【００２３】
［第１実施形態］
以下、添付した図面を参照して、本発明の一実施形態に係るリモートコントローラー（以下、「リモコン」と略称する。）および遠隔制御システムについて説明する。図１および図２に示すように、遠隔制御システムＳＹは、プロジェクター１０（外部装置）と、これを遠隔操作するリモコン４０と、を備えている。リモコン４０は、ＵＳＢメモリーＭ（外部メモリー）を接続するためのＵＳＢポート４１（メモリー接続手段）を有しており、当該ＵＳＢメモリーＭから読み出した情報を、プロジェクター１０に提供できるようになっている。
【００２４】
まず、図１を参照し、プロジェクター１０の制御構成について説明する。プロジェクター１０は、信号取得部１１、端子選択部１２、装置側制御部１３、記憶部１４、映像信号処理部１５、操作パネル１６、無線通信部１９および投写光学部２０を備えている。
【００２５】
信号取得部１１は、プロジェクター１０に設けられた複数の入力端子（図示省略）を介して、コンピューターやビデオプレーヤーなどの外部機器５０から、映像信号を取得する。なお、外部機器５０ではなく、コンパクトフラッシュ（登録商標）などの外部記憶装置（図示省略）から映像信号を取得するようにしても良い。また、信号取得部１１は、リモコン４０のＵＳＢポート４１および装置側無線モジュール１８を介して、ＵＳＢメモリーＭから映像信号を取得することも可能である。
【００２６】
端子選択部１２は、映像信号の取得対象となる入力端子を選択する。後述する投写光学部２０では、当該端子選択部１２によって選択された入力端子から取得した映像信号に基づいて、映像投写を行う。なお、端子選択部１２によって選択可能な入力端子には、上記のとおり、リモコン４０のＵＳＢポート４１が含まれる。
【００２７】
装置側制御部１３は、ＣＰＵ（Central  Processing  Unit）を主要部として構成されるものであり、バス２７を介して各部との信号の入出力を行うことによりプロジェクター１０を統括制御する。本実施形態では、主にリモコン４０との送受信処理を制御する。
【００２８】
記憶部１４は、ＲＯＭ（Read  Only  Memory）などを主要部として構成されるものであり、装置側制御部１３が各種制御を行うための制御プログラムおよび制御データを記憶している。当該制御プログラムには、リモコン４０との送受信処理を行うための送受信処理プログラムや、映像信号処理部１５において用いられる画像処理プログラムなどが含まれる。また、制御データには、操作パネル１６などを用いて設定された環境設定メニューの設定情報などが含まれる。なお、記憶部１４には、ＯＳ（Operating  System）も記憶されている。
【００２９】
映像信号処理部１５は、信号取得部１１が取得した映像信号に対し、記憶部１４に記憶されている画像処理プログラムに従い、同じく記憶部１４に記憶されている設定情報に基づいて、所定の画像処理を行う。例えば、設定情報に含まれるキーストーン歪補正値に基づいてキーストーン歪処理を行ったり、設定情報に含まれるカラーモード情報に基づいて画質調整処理を行ったりする。
【００３０】
操作パネル１６は、プロジェクター１０本体に設けられ、各種操作を行うためのキー群を有している。キー群には、映像ソース（表示対象となる入力端子）を切り替えるための映像ソース切替キーが含まれる。
【００３１】
無線通信部１９，４６（図２参照）は、プロジェクター１０とリモコン４０との間で無線通信を行う。本実施形態では、主に、リモコン４０の操作キー４４（図２参照）による操作に基づいて生成された操作信号の送受信や、ＵＳＢメモリーＭから読み出された読み出しデータ（写真などの画像データやスライドショーの再生データなど）および設定情報の送受信に用いられる。
【００３２】
無線通信部１９，４６は、光無線モジュールおよび無線モジュールを有しており、光無線モジュールはリモコン４０による操作信号の送受信を担当し、無線モジュールはデータの送受信を担当する。なお、光無線モジュールとは、赤外線、可視光、レーザー、ＬＥＤおよびＩｒＤＡ（Ｉｎｆｒａｒｅｄ  ＤａｔａＡｓｓｏｓｉｃａｔｉｏｎ）などの光線を用いた通信であり、無線モジュールとは、電波や音波を用いた通信である。なお、本実施例では、光無線モジュールの一例として赤外線モジュール１７，４７を挙げ、無線モジュールの一例として電波を用いた無線モジュール１８，４８を挙げる。
【００３３】
投写光学部２０は、スクリーンＳＣ上に、映像を投写するものであり、光源ランプ２１、液晶ライトバルブ２２、投写レンズ２３、ランプ駆動部２４およびライトバルブ駆動部２５を有している。光源ランプ２１としては、ハロゲンランプ、メタルハライドランプまたは高圧水銀ランプを適用可能である。また、光源ランプ２１に代えて、レーザーやＬＥＤなどの固体光源を用いても良い。液晶ライトバルブ２２は、一対の透明基板間に液晶が封入された液晶パネル等によって構成され、各透明基板の内面には、液晶に対して微小領域毎に駆動電圧を印加可能な透明電極が、画素としてマトリクス状に形成されている。ランプ駆動部２４は、装置側制御部１３からの点灯指令に基づいて、光源ランプ２１を点灯させる。ライトバルブ駆動部２５は、液晶ライトバルブ２２の各画素に、画像データに応じた駆動電圧を印加することにより、各画素の光透過率を設定する。これらの構成により、投写光学部２０では、光源ランプ２１から射出された照明光が、液晶ライトバルブ２２を透過することによって変調される。また、変調された画像光は、不図示の光合成光学系（ダイクロイックプリズムなど）により画素毎に合成され、投写レンズ２３によってスクリーンＳＣ上に投写される。
【００３４】
次に、図２を参照し、リモコン４０の制御構成について簡単に説明する。リモコン４０は、ＵＳＢポート４１、ＵＳＢドライバ４２、リモコン側制御部４３、操作キー４４（操作手段）、リモコン側赤外線モジュール４７およびリモコン側無線モジュール４８を備えている。なお、請求項における「無線送信手段」は、無線通信部４６を指し、これを構成する「複数の無線送信手段」は、リモコン側赤外線モジュール４７およびリモコン側無線モジュール４８を指すものとする。
【００３５】
ＵＳＢポート４１は、ＵＳＢメモリーＭを接続するための接続口である。なお、ＵＳＢメモリーＭは、上記の設定情報が記録された設定情報記憶領域６０を有している。当該設定情報記憶領域６０は、プロジェクター１０において環境設定された各種設定値が記憶される。環境設定は、投写光学部２０により環境設定メニュー画面（図示省略）をＯＳＤ表示し、操作パネル１６またはリモコン４０の操作キー４４を用いて行うことができる。また、ＵＳＢメモリーＭには、写真などの画像データやスライドショーの再生データなどが記憶されている。
【００３６】
ＵＳＢドライバ４２は、ＵＳＢポート４１を介して、ＵＳＢメモリーＭに対する情報の読み書きを行う。リモコン側制御部４３は、ＣＰＵ等を主要部として構成されるものであり、バス４９を介して各部との信号の入出力を行うことによりリモコン４０内部を制御する。本実施形態では、主にプロジェクター１０との送受信処理（モード切り替え処理を含む）を制御する。具体的には、プロジェクター１０で設定された設定情報を、リモコン側無線モジュール４８を介して取得し、ＵＳＢドライバ４２に出力する。また、ＵＳＢドライバ４２が読み出した画像データおよび設定情報を、リモコン側無線モジュール４８を介してプロジェクター１０に送信する。
【００３７】
操作キー４４は、プロジェクター１０の操作パネル１６と同様に、各種操作を行うためのキー群（操作ボタン）を有している。その他、リモコン４０側の操作キー４４には、モード切替キー４４ａが含まれる。当該モード切替キー４４ａは、リモコン側赤外線モジュール４７による送受信を可能とする（赤外線通信を有効とする）ための赤外線モードと、リモコン側無線モジュール４８による送受信を可能とする（無線通信を有効とする）ための無線モードとを、切り替えるためのものである。請求項における「所定キー」は、当該モード切替キー４４ａを指す。また、請求項における「無線送信手段切替手段」は、上記のリモコン側制御部４３を主要構成要素とする。
【００３８】
なお、本実施形態では、モード切替キー４４ａを押下する度に、赤外線モードと無線モードとを切り替え可能であるものとして説明するが、各モードに対応したキーを設け、それぞれのキー押下により各モードを設定可能としても良い。
【００３９】
リモコン側赤外線モジュール４７は、赤外線モード設定時において、プロジェクター１０と赤外線通信を行う。また、リモコン側無線モジュール４８は、無線モード設定時において、プロジェクター１０と無線通信を行う。
【００４０】
次に、図３のフローチャートを参照し、第１実施形態に係る設定情報送信処理（１）について説明する。リモコン４０（リモコン側制御部４３）は、ＵＳＢポート４１にＵＳＢメモリーＭが接続されたか否かを判別する（Ｓ１１）。ＵＳＢメモリーＭが接続された場合は（Ｓ１１：Ｙｅｓ）、無線モードに切り替え（Ｓ１２）、ＵＳＢメモリーＭに設定情報が記憶されているか（設定情報記憶領域６０が存在するか）否かを判別する（Ｓ１３）。ＵＳＢメモリーＭに設定情報が記憶されていない場合は（Ｓ１３：Ｎｏ）、そのまま処理を終了する。また、ＵＳＢメモリーＭに設定情報が記憶されている場合は（Ｓ１３：Ｙｅｓ）、ＵＳＢドライバ４２により、ＵＳＢメモリーＭの設定情報記憶領域６０から設定情報を読み出す（Ｓ１４）。読み出した設定情報は、リモコン側無線モジュール４８を介してプロジェクター１０に送信する（Ｓ１５）。
【００４１】
なお、プロジェクター１０側では、装置側無線モジュール１８を介して受信した設定情報を、記憶部１４内に書き込む。これにより、ユーザーは、ＵＳＢポート４１にＵＳＢメモリーＭを接続するだけで、設定情報の設定を行うことができる。すなわち、環境設定メニュー画面をＯＳＤ表示させて、操作パネル１６やリモコン４０を用いて環境設定を行う煩わしさを解消することができる。また、ＵＳＢメモリーＭを接続するだけで、自動的に設定情報が送信されるため、設定情報の設定し忘れを防止することができる。
【００４２】
次に、図４を参照し、第１実施形態に係る読み出しデータ送信処理（１）について説明する。なお、当該フローが実行される前に、プロジェクター１０側では、端子選択部１２により、リモコン４０のＵＳＢポート４１が選択されているものとする。リモコン４０（リモコン側制御部４３）は、無線モードに設定されたか（赤外線モードから無線モードに切り替えられたか）否かを判別する（Ｓ２１）。無線モードに設定された場合は（Ｓ２１：Ｙｅｓ）、ＵＳＢポート４１にＵＳＢメモリーＭが接続されているか否かを判別する（Ｓ２２）。ＵＳＢメモリーＭが接続されていない場合は（Ｓ２２：Ｎｏ）、Ｓ２１に戻る。また、ＵＳＢメモリーＭが接続されている場合は（Ｓ２２：Ｙｅｓ）、ＵＳＢメモリーＭから画像データなどを読み出し（Ｓ２３）、当該読み出しデータを、リモコン側無線モジュール４８を介してプロジェクター１０に送信する（Ｓ２４）。
【００４３】
なお、プロジェクター１０側では、装置側無線モジュール１８を介して受信した読み出しデータを、投写光学部２０により投写する。例えば、写真のサムネイル表示や、スライドショーの再生を行う。
【００４４】
次に、図５を参照し、第１実施形態に係る操作信号送信処理（１）について説明する。リモコン４０（リモコン側制御部４３）は、操作キー４４（但し、モード切替キー４４ａ以外のキー）の操作があった場合（Ｓ３１：Ｙｅｓ）、赤外線モードに設定されているか否かを判別する（Ｓ３２）。ここで、赤外線モードに設定されていると判定した場合は（Ｓ３２：Ｙｅｓ）、操作キー４４に応じた操作信号を、リモコン側赤外線モジュール４７を介してプロジェクター１０に送信する（Ｓ３３）。一方、赤外線モードに設定されていないと判定した場合は（Ｓ３２：Ｎｏ）、モード切り替えが行われたか（操作キー４４の操作（Ｓ３１）から所定時間内に、モード切替キー４４ａが押下されたか）否かを判別し（Ｓ３４）、モード切り替えが行われた場合は（Ｓ３４：Ｙｅｓ）、操作キー４４に応じた操作信号を、プロジェクター１０に送信する（Ｓ３３）。一方、モード切り替えが行われなかった場合は（Ｓ３４：Ｎｏ）、操作信号を送信することなく、処理を終了する。
【００４５】
なお、プロジェクター１０側では、装置側赤外線モジュール１７を介して操作信号を受信し、当該操作信号に対応した動作（処理）を行う。このように、本実施形態の操作信号送信処理では、赤外線モード時のみ操作信号の送信が可能となっている。
【００４６】
以上説明したとおり、第１実施形態によれば、リモコン４０に対してＵＳＢメモリーＭを接続可能であるため、プロジェクター１０の設置場所に拘わらず、ＵＳＢメモリーＭを容易に接続することができる。また、ＵＳＢメモリーＭから読み出した読み出しデータは、無線通信によりプロジェクター１０に送信するため、赤外線通信を用いる場合と比較して、大容量のデータ送信を迅速に行うことができる。また、リモコン４０の操作キー４４の操作に基づく操作信号は、赤外線通信によりプロジェクター１０に送信するため、従来の通信規格をそのまま採用することができる。
【００４７】
また、操作キー４４にはモード切替キー４４ａが含まれるため、当該モード切替キー４４ａの押下によって、読み出しデータを送信するための無線モードと、操作信号を送信するための赤外線モードと、を容易に切り替えることができる。また、無線モードでは、読み出しデータを送信でき、赤外線モードでは、操作信号を送信できるといった単純な構成であるため、使い勝手も良い。
【００４８】
なお、図３に示した設定情報送信処理（１）では、ＵＳＢメモリーＭが接続されたことをトリガとして、設定情報を読み出すものとしたが、プロジェクター１０からの送信要求をトリガとしても良い。図６は、この場合の設定情報送信処理（２）を示すフローチャートである。同図に示すように、リモコン４０（リモコン側制御部４３）は、プロジェクター１０から設定情報送信要求を受信したか否かを判別する（Ｓ４１）。当該設定情報送信要求は、赤外線通信および無線通信のいずれを利用しても良いし、確実に送受信するために両通信を利用しても良い。リモコン４０は、設定情報送信要求を受信した場合（Ｓ４１：Ｙｅｓ）、無線モードに切り替えて（Ｓ４２）、ＵＳＢポート４１にＵＳＢメモリーＭが接続されているか否かを判別する（Ｓ４３）。ＵＳＢメモリーＭが接続されている場合は（Ｓ４３：Ｙｅｓ）、設定情報の有無を判別し（Ｓ４４）、設定情報が存在する場合に（Ｓ４４：Ｙｅｓ）、設定情報を読み出して（Ｓ４５）、プロジェクター１０に送信する（Ｓ４６）。また、設定情報が存在しない場合は（Ｓ４４：Ｎｏ）、そのまま処理を終了する。この構成によれば、プロジェクター１０の操作により、ユーザーの必要に応じて、設定情報の読み出しおよび設定を行うことができる。なお、プロジェクター１０側では、電源オン時またはユーザーによる所定の操作により、設定情報送信要求を送信することが好ましい。
【００４９】
また、この場合、設定情報の送信後（Ｓ４６の後）、無線モードから赤外線モードにモード切り替えを行うようにしても良い。図３に示した設定情報送信処理（１）においても同様である（Ｓ１５の後、赤外線モードにモード切り替えを行っても良い）。また、図４に示した読み出しデータ送信処理（１）においても、読み出しデータの送信後（Ｓ２４）、無線モードから赤外線モードにモード切り替えを行うようにしても良い。これらの構成によれば、通常時は赤外線モードに設定しておくことができるため、操作信号の送信時に、モード切替キー４４ａの操作を必要とせず、操作キー４４を操作するだけで良いため、便利である。また、図６に示したように、リモコン４０が設定情報送信要求をトリガとして設定情報を読み出す場合、プロジェクター１０は、設定情報送信要求を赤外線通信により送信すればよく、確実に送信要求を送信するために両信号を用いる必要がない。
【００５０】
［第２実施形態］
続いて、図７を参照し、本発明の第２実施形態について説明する。上記の実施形態では、図４に示した読み出しデータ送信処理（１）において、無線モードに設定されたことをトリガとして、データの読み出しを行ったが、本実施形態では、プロジェクター１０からの送信要求をトリガとして、データの読み出しを行う点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５１】
図７は、第２実施形態に係る読み出しデータ送信処理（２）を示すフローチャートである。なお、当該フローが実行される前に、プロジェクター１０側では、端子選択部１２により、リモコン４０のＵＳＢポート４１を選択するものとする。リモコン４０（リモコン側制御部４３）は、プロジェクター１０から、データ送信要求を受信したか否かを判別する（Ｓ５１）。当該データ送信要求は、赤外線通信を利用することが好ましい。この場合、請求項における「送信要求受信手段」は、リモコン側赤外線モジュール４７を主要構成要素とする。また、当該データ送信要求は、プロジェクター１０側において、端子選択部１２により、リモコン４０のＵＳＢポート４１が選択されたことに伴って送信されることが好ましい。
【００５２】
リモコン４０は、データ送信要求を受信した場合（Ｓ５１：Ｙｅｓ）、無線モードに切り替えて（Ｓ５２）、ＵＳＢポート４１にＵＳＢメモリーＭが接続されているか否かを判別する（Ｓ５３）。ＵＳＢメモリーＭが接続されている場合は（Ｓ５３：Ｙｅｓ）、ＵＳＢメモリーＭから画像データなどを読み出し（Ｓ５４）、リモコン側無線モジュール４８を介してプロジェクター１０に送信する（Ｓ５５）。その後、無線モードから赤外線モードに切り替ええる（Ｓ５６）。
【００５３】
以上説明したとおり、第２実施形態によれば、プロジェクター１０から、データ送信要求を受信したとき無線モードに切り替え、読み出しデータの送信後、赤外線モードに切り替えるため、ユーザーによる、モード切り替えのための操作を必要としない。つまり、リモコン４０側で必要に応じて自動的にモード切り替えを行うため便利である。
【００５４】
なお、図３および図６に示した設定情報送信処理（１），（２）は、本実施形態のリモコン４０にも適用可能である。但し、第１実施形態の変形例にて説明した理由と同様の理由により、リモコン４０は、設定情報の送信後、無線モードから赤外線モードにモード切り替えを行うことが好ましい。また、図５に示した操作信号送信処理（１）も、本実施形態のリモコン４０に適用可能である。
【００５５】
［第３実施形態］
続いて、図８および図９を参照し、本発明の第３実施形態について説明する。本実施形態では、読み出しデータ送信処理において、ＵＳＢメモリーＭの接続の有無に応じてモード設定を行う点、操作キー４４に含まれるデータ読み出しキー（図示省略）の押下をトリガとしてデータの読み出しを行う点を特徴とする。以下、第１実施形態と異なる点のみ説明する。なお、本実施形態において、第１実施形態と同様の構成部分については同様の符号を付し、詳細な説明を省略する。また、第１実施形態および第２実施形態と同様の構成部分について適用される変形例は、本実施形態についても同様に適用される。
【００５６】
図８は、第３実施形態に係る読み出しデータ送信処理（３）を示すフローチャートである。なお、当該フローが実行される前に、プロジェクター１０側では、特に端子選択部１２により、端子を選択（設定）する必要はない。リモコン４０（リモコン側制御部４３）は、ＵＳＢポート４１にＵＳＢメモリーＭが接続されているか否かを判別する（Ｓ６１，メモリー接続判別手段）。ＵＳＢメモリーＭが接続されていない場合は（Ｓ６１：Ｎｏ）、赤外線モードの設定を行い（無線モードであった場合は赤外線モードに切り替え）（Ｓ６２）、処理を終了する。
【００５７】
一方、ＵＳＢメモリーＭが接続されている場合は（Ｓ６１：Ｙｅｓ）、無線モードの設定を行い（赤外線モードであった場合は無線モードに切り替え）（Ｓ６３）、データ読み出しキーが押下されたか否かを判別する（Ｓ６４）。データ読み出しキーが押下されなかった場合は（Ｓ６４：Ｎｏ）、処理を終了する。また、データ読み出しキーが押下された場合は（Ｓ６４：Ｙｅｓ）、ＵＳＢメモリーＭから画像データなどを読み出し（Ｓ６５）、リモコン側無線モジュール４８を介してプロジェクター１０に送信する（Ｓ６６）。
【００５８】
次に、図９を参照し、第３実施形態に係る操作信号送信処理（２）について説明する。同図に示すように、リモコン４０（リモコン側制御部４３）は、操作キー４４（但し、モード切替キー４４ａ以外のキー）の操作があった場合（Ｓ７１：Ｙｅｓ）、現在のモード設定を判別し（Ｓ７２）、無線モードに設定されていると判定した場合は、無線通信により、操作キー４４に応じた操作信号をプロジェクター１０に送信する（Ｓ７３）。すなわち、リモコン側無線モジュール４８を介して操作信号を送信する。一方、現在のモード設定が赤外線モードに設定されていると判定した場合は、赤外線通信により、操作キー４４に応じた操作信号をプロジェクター１０に送信する（Ｓ７４）。すなわち、リモコン側赤外線モジュール４７を介して操作信号を送信する。このように、本実施形態の操作信号送信処理（２）では、無線モードにおいても操作信号の送信が可能である。
【００５９】
以上説明したとおり、第３実施形態によれば、ＵＳＢメモリーＭが接続されている場合、無線モードに切り替わり、ＵＳＢメモリーＭが接続されていない場合、赤外線モードに切り替わるため、ユーザーは、モード切り替えのための操作を行う必要がない。つまり、リモコン４０側で必要に応じて自動的にモード切り替えが行われるため便利である。また、無線モードにおいては、読み出しデータの送信のみならず、操作信号の送信も可能であるため、ＵＳＢメモリーＭが接続された状態のままでも、プロジェクター１０の各種操作を行うことができる。
【００６０】
なお、図３および図６に示した設定情報送信処理（１），（２）は、本実施形態のリモコン４０にも適用可能である。但し、本実施形態に適用する場合は、図３のフローチャートにおけるＳ１２（無線モードへの切り替え）の工程、図６のフローチャートにおけるＳ４２（無線モードへの切り替え）の工程が、それぞれ不要である。
【００６１】
以上、３つの実施形態を示したが、各実施形態に示したリモコン４０の各構成要素をプログラムとして提供することが可能である。また、そのプログラムを各種記録媒体（ＣＤ−ＲＯＭ、フラッシュメモリ等）に格納して提供することも可能である。すなわち、コンピューターをリモコン４０の各構成要素として機能させるためのプログラム、およびそれを記録した記録媒体も、本発明の権利範囲に含まれるものである。
【００６２】
また、上記の実施形態では、無線通信部１９，４６として、光無線モジュールおよび無線モジュールを例示したが、かならずしも２つである必要はなく、リモコン４０の機能に応じてモジュール数を増減してよい。例えば、リモコン４０が多機能化する場合は、モジュール数を３つ以上とし、機能に応じたモジュールを利用するようにしても良い。この構成によれば、リモコン４０の多機能化に容易に対応することができると共に、目的とする動作に応じて適切なモジュールを利用することで操作性および機能性を向上させることができる。なお、この場合は、モード選択に応じて、３つ以上のモジュールの中から、対象となる１以上のモジュールを機能させることが可能である。また、３つ以上のモジュールの中から、各動作（設定情報、読み出しデータおよび操作信号の送信）に用いるモジュールを予め定めておいても良いし、モード選択によって選択されたモジュールを用いて、これら各動作を実行可能としても良い。さらに、各動作と、各動作に用いるモジュールと、の関係を、ユーザーの好みやニーズに応じて設定可能としても良い。
【００６３】
また、逆にリモコン４０の機能を絞る場合には、１つのモジュールで全ての動作を実行可能としても良い。例えば、リモコン４０に、赤外線モジュールのみを搭載し、当該赤外線モジュールを用いて、設定情報、読み出しデータおよび操作信号の送信を可能としても良い。この構成によれば、リモコン４０の操作方法を簡素化することができると共に、装置本体の小型化および低廉化を図ることができる。
【００６４】
また、上記の実施形態では、プロジェクター１０の表示方式として、透過型液晶表示方式を採用しているが、反射型液晶表示方式、ＣＲＴ表示方式やライトスイッチ表示方式（マイクロミラーデバイス方式）など、プロジェクター１０の表示原理は問わない。また、プロジェクター１０以外にも、リモコン４０で操作可能な、例えばパーソナルコンピューター、テレビジョン、ゲーム機器、映像・音響機器、携帯型情報機器等の電子機器であれば、その種類および用途を問わず本発明を適用可能である。
【００６５】
また、上記の実施形態では、リモコン４０に接続する外部メモリーとしてＵＳＢメモリーＭを例示したが、コンパクトフラッシュ（登録商標）やＳＤメモリーカードなど、他の外部記憶装置を用いても良い。また、上記の実施形態では、ＵＳＢメモリーＭを接続するＵＳＢポート４１を１つのみ搭載するものとしたが、複数搭載しても良い。その他、本発明の要旨を逸脱しない範囲で、適宜変更が可能である。
【符号の説明】
【００６６】
１０…プロジェクター  １１…信号取得部  １２…端子選択部  １３…装置側制御部  １４…記憶部  １５…映像信号処理部  １６…操作パネル  １７…装置側赤外線モジュール  １８…装置側無線モジュール  １９…無線通信部（装置側）  ２０…投写光学部  ４０…リモコン  ４１…ＵＳＢポート  ４２…ＵＳＢドライバ  ４３…リモコン側制御部  ４４…操作キー  ４４ａ…モード切替キー  ４６…無線通信部（リモコン側）  ４７…リモコン側赤外線モジュール  ４８…リモコン側無線モジュール  ６０…設定情報記憶領域  Ｍ…ＵＳＢメモリー
【図１】
2010226483.tif 000003
【図２】
2010226483.tif 000004
【図３】
2010226483.tif 000005
【図４】
2010226483.tif 000006
【図５】
2010226483.tif 000007
【図６】
2010226483.tif 000008
【図７】
2010226483.tif 000009
【図８】
2010226483.tif 000010
【図９】
2010226483.tif 000011